(57)【要約】      （修正有）【課題】アナログ出力信号のＳ／Ｎ比を良好にしつつ、所望の出力設定値と実際の出力信号レベルとの誤差を小さくすることができる振幅可変装置及びその特性補正方法を得る。【解決手段】２つのＤＡ変換器１，２を有する振幅可変装置において、デジタル信号に第１の係数を乗算する第１の乗算手段３と、乗算後アナログ信号へ変換する第１のＤＡ変換器１と、デジタル信号に第２の係数を乗算する第２の乗算手段４と、乗算後アナログ信号へ変換する第２のＤＡ変換器２と、第１のＤＡ変換器によるアナログ信号に対して第２のＤＡ変換器によるアナログ信号の両方の和または一方と他方との差をアナログ信号として出力する出力手段５と、所定の設定条件下でのアナログ出力信号の値に基づいて得られる補正係数を、第１の乗算手段および第２の乗算手段４のいずれか一方へのデジタル入力信号に対して乗算する補正乗算手段１２とを備える。【選択図】図１
2007311887.tif 000002
【特許請求の範囲】
【請求項１】
デジタル入力信号に第１の係数を乗算する第１の乗算手段と、
上記第１の係数を乗算した後のデジタル入力信号をアナログ信号へ変換する第１のＤＡ変換器と、
上記デジタル入力信号に第２の係数を乗算する第２の乗算手段と、
上記第２の係数を乗算した後のデジタル入力信号をアナログ信号へ変換する第２のＤＡ変換器と、
上記第１のＤＡ変換器によるアナログ信号および上記第２のＤＡ変換器によるアナログ信号の両方の和または一方と他方との差をアナログ出力信号として出力する出力手段と、
所定の設定条件下での上記アナログ出力信号の値に基づいて得られる補正係数を、上記第１の乗算手段および上記第２の乗算手段のいずれか一方への上記デジタル入力信号に対して乗算する補正乗算手段と、
を備えることを特徴とする振幅可変装置。
【請求項２】
デジタル入力信号に第１の係数を乗算する第１の乗算手段と、
上記第１の係数を乗算した後のデジタル入力信号をアナログ信号へ変換する第１のＤＡ変換器と、
上記デジタル入力信号に第２の係数を乗算する第２の乗算手段と、
上記第２の係数を乗算した後のデジタル入力信号をアナログ信号へ変換する第２のＤＡ変換器と、
上記第１のＤＡ変換器によるアナログ信号に対して上記第２のＤＡ変換器によるアナログ信号を逆相で合成して、合成後の信号をアナログ出力信号として出力する出力手段と、
所定の設定条件下での上記アナログ出力信号の値に基づいて得られる補正係数を、上記第１の乗算手段および上記第２の乗算手段のいずれか一方への上記デジタル入力信号に対して乗算する補正乗算手段と、
を備えることを特徴とする振幅可変装置。
【請求項３】
前記補正係数は、第１の設定条件下での前記アナログ出力信号の第１の値および第２の設定条件下での前記アナログ出力信号の第２の値から得られる値であることを特徴とする請求項１または請求項２記載の振幅可変装置。
【請求項４】
前記補正乗算手段は、前記第１の値および前記第２の値に基づいて選択される前記第１の乗算手段および前記第２の乗算手段のいずれか一方に入力される前記デジタル入力信号に対してのみ、前記補正係数を乗算することを特徴とする請求項３記載の振幅可変装置。
【請求項５】
前記補正係数は、前記第１および第２のＤＡ変換器によるアナログ信号の振幅をそれぞれ最大とした場合の、前記アナログ出力信号の最大値および前記アナログ出力信号の最小値から得られる値であることを特徴とする請求項３記載の振幅可変装置。
【請求項６】
前記補正係数は、同一のデジタル入力信号に対して、前記第１の係数をゼロとした場合の前記アナログ出力信号の値および前記第２の係数をゼロとした場合の前記アナログ出力信号の値から得られる値であることを特徴とする請求項３記載の振幅可変装置。
【請求項７】
前記アナログ出力信号の値に基づいて前記補正係数を計算し前記補正乗算手段に設定する補正係数算出手段を備えることを特徴とする請求項１から請求項６のうちのいずれか１項記載の振幅可変装置。
【請求項８】
デジタル入力信号に第１の係数を乗算する第１の乗算手段と、上記第１の係数を乗算した後のデジタル入力信号をアナログ信号へ変換する第１のＤＡ変換器と、上記デジタル入力信号に第２の係数を乗算する第２の乗算手段と、上記第２の係数を乗算した後のデジタル入力信号をアナログ信号へ変換する第２のＤＡ変換器と、上記第１のＤＡ変換器によるアナログ信号および上記第２のＤＡ変換器によるアナログ信号の両方の和または一方と他方との差をアナログ出力信号として出力する出力手段とを備える振幅可変装置の特性補正方法であって、
一定条件下での上記アナログ出力信号の値に基づいて得られる補正係数を、上記第１の乗算手段および上記第２の乗算手段のいずれか一方への上記デジタル入力信号に対して乗算すること、
を特徴とする特性補正方法。
【請求項９】
デジタル入力信号に第１の係数を乗算する第１の乗算手段と、上記第１の係数を乗算した後のデジタル入力信号をアナログ信号へ変換する第１のＤＡ変換器と、上記デジタル入力信号に第２の係数を乗算する第２の乗算手段と、上記第２の係数を乗算した後のデジタル入力信号をアナログ信号へ変換する第２のＤＡ変換器と、上記第１のＤＡ変換器によるアナログ信号に対して上記第２のＤＡ変換器によるアナログ信号を逆相で合成して、合成後の信号をアナログ出力信号として出力する出力手段とを備える振幅可変装置の特性補正方法であって、
一定条件下での上記アナログ出力信号の値に基づいて得られる補正係数を、上記第１の乗算手段および上記第２の乗算手段のいずれか一方への上記デジタル入力信号に対して乗算すること、
を特徴とする特性補正方法。
【発明の詳細な説明】
【技術分野】
【０００１】
本発明は、振幅可変装置およびその特性補正方法に関する。
【背景技術】
【０００２】
例えばデジタル信号またはデジタルデータからオーディオ信号を再生する音響再生装置は、一般的に、出力されるオーディオ信号の振幅を調整する機能を有する。そのような機構の一つとして、デジタルボリュームがある。
【０００３】
そのようなデジタルボリュームでは、ＤＡ変換器の前段に設けられた係数器が、デジタルデータ（デジタル信号）に対して係数を乗算し、ＤＡ変換器が、乗算後のデジタルデータをＤＡ（Digital-to-Analog ）変換し、変換後のアナログ信号を出力する。これにより、デジタル信号領域でオーディオ信号の振幅（つまりデジタル値）が小さくされ、その結果として、出力されるアナログ信号の振幅も小さくなる（例えば特許文献１参照）。
【０００４】
通常、このようなデジタルボリュームでは、音量が最大である場合、デジタル入力信号はそのままＤＡ変換され、変換後のアナログ信号がそのまま出力される。一方、音量が最大ではない場合（音量を絞る場合）、０以上かつ１以下の値の係数が乗算されたデジタル信号がＤＡ変換され、変換後のアナログ信号がそのまま出力される。つまり、音量が最大である場合、デジタルボリュームでの減衰量がゼロとされ、音量が最大ではない場合、乗算時の係数の値に応じた減衰量だけ、アナログ信号の振幅が最大値に比べ減衰する。
【０００５】
【特許文献１】特開２０００−１３８５８５号公報（図２等）
【発明の開示】
【発明が解決しようとする課題】
【０００６】
しかしながら、デジタル信号の分解能とＤＡ変換器の分解能とを同程度とした場合には、ＤＡ変換器に入力される、減衰後のデジタル信号の分解能が低下してしまうため、デジタル信号を減衰させない場合に比べ歪み率が悪化する。特に、音量の調整範囲が広い装置では、通常再生時には、最大値から減衰させた音量で再生を行うことが多く、通常使用状態での音質の劣化が問題となる。
【０００７】
この問題を解決するために、例えば図４に示す装置が考えられる。図４に示す装置は、２つのＤＡ変換器１０１，１０２を有する。そして、一方のＤＡ変換器１０１には入力信号がそのまま入力され、他方のＤＡ変換器１０２には、係数器１０３で入力信号に係数を乗じて得られた信号が入力される。ＤＡ変換器１０１，１０２より出力された２つのアナログ信号は、互いに逆相で加算器１０４に入力される。そして、加算器１０４により２つの信号の和が演算され、アナログ出力信号として出力される。加算器１０４では、互いに逆相の信号の和が計算されるため、係数器１０３の係数の値に応じてアナログ出力信号が減衰する。係数器１０３の係数の値は、アナログ出力信号の出力設定値に応じて決定すればよい。このように２つのＤＡ変換器１０１，１０２を使用することで、各ＤＡ変換器へ入力される信号のレベルをあまり減衰させずに済むため、デジタル信号領域において振幅可変させる場合に、アナログ出力信号の劣化を抑制することが可能となる。
【０００８】
上述の装置の場合、２つのＤＡ変換器１０１，１０２の入出力特性のバラツキが比較的小さいときには、出力設定値と実際の出力信号レベルとの誤差は小さいが、入出力特性のバラツキが比較的大きいときには、出力設定値と実際の出力信号レベルとの誤差が大きくなる。図５は、２つのＤＡ変換器１０１，１０２の入出力特性のバラツキがない場合、バラツキが＋０．５ｄＢである場合およびバラツキが−０．５ｄＢである場合の出力設定値と実際の出力信号レベルとの対応関係を示す図である。図５に示すように、ＤＡ変換器１０１，１０２の入出力特性のバラツキが比較的大きい場合には、そのバラツキに起因して、所望の出力設定値と実際の出力信号レベルとの間のリニアリティが悪化し、両者間の誤差が増大する。特に、出力設定値が小さい領域ほどリニアリティが悪化する。
【０００９】
本発明は、上記の問題に鑑みてなされたものであり、アナログ出力信号のＳ／Ｎ比を良好にしつつ、所望の出力設定値と実際の出力信号レベルとの誤差を小さくすることができる振幅可変装置およびその特性補正方法を得ることを目的とする。
【課題を解決するための手段】
【００１０】
上記の課題を解決するために、本発明では以下のようにした。
【００１１】
本発明に係る振幅可変装置の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号および第２のＤＡ変換器によるアナログ信号の両方の和または一方と他方との差をアナログ出力信号として出力する出力手段と、所定の設定条件下でのアナログ出力信号の値に基づいて得られる補正係数を、第１の乗算手段および第２の乗算手段のいずれか一方へのデジタル入力信号に対して乗算する補正乗算手段とを備える。
【００１２】
本発明に係る振幅可変装置の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号に対して第２のＤＡ変換器によるアナログ信号を逆相で合成して、合成後の信号をアナログ出力信号として出力する出力手段と、所定の設定条件下でのアナログ出力信号の値に基づいて得られる補正係数を、第１の乗算手段および第２の乗算手段のいずれか一方へのデジタル入力信号に対して乗算する補正乗算手段とを備える。
【００１３】
また、本発明に係る振幅可変装置は、上記の振幅可変装置のいずれかに加え、次のようにしてもよい。つまり、その場合、補正係数は、第１の設定条件下でのアナログ出力信号の第１の値および第２の設定条件下でのアナログ出力信号の第２の値から得られる値とされる。
【００１４】
また、本発明に係る振幅可変装置は、上記の振幅可変装置のいずれかに加え、次のようにしてもよい。つまり、その場合、補正乗算手段は、第１の値および第２の値に基づいて選択される第１の乗算手段および第２の乗算手段のいずれか一方に入力されるデジタル入力信号に対してのみ、補正係数を乗算する。
【００１５】
また、本発明に係る振幅可変装置は、上記の振幅可変装置のいずれかに加え、次のようにしてもよい。つまり、その場合、補正係数は、第１および第２のＤＡ変換器によるアナログ信号の振幅をそれぞれ最大とした場合の、アナログ出力信号の最大値およびアナログ出力信号の最小値から得られる値とされる。
【００１６】
また、本発明に係る振幅可変装置は、上記の振幅可変装置のいずれかに加え、次のようにしてもよい。つまり、その場合、補正係数は、同一のデジタル入力信号に対して、第１の係数をゼロとした場合のアナログ出力信号の値および第２の係数をゼロとした場合のアナログ出力信号の値から得られる値とされる。
【００１７】
また、本発明に係る振幅可変装置は、上記の振幅可変装置のいずれかに加え、次のようにしてもよい。つまり、その場合、振幅可変装置は、アナログ出力信号の値に基づいて補正係数を計算し補正乗算手段に設定する補正係数算出手段を備える。
【００１８】
本発明に係る特性補正方法の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号および第２のＤＡ変換器によるアナログ信号の両方の和または一方と他方との差をアナログ出力信号として出力する出力手段とを備える振幅可変装置の特性補正方法であって、一定条件下でのアナログ出力信号の値に基づいて得られる補正係数を、第１の乗算手段および第２の乗算手段のいずれか一方へのデジタル入力信号に対して乗算するものである。
【００１９】
本発明に係る特性補正方法の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号に対して第２のＤＡ変換器によるアナログ信号を逆相で合成して、合成後の信号をアナログ出力信号として出力する出力手段とを備える振幅可変装置の特性補正方法であって、一定条件下でのアナログ出力信号の値に基づいて得られる補正係数を、第１の乗算手段および第２の乗算手段のいずれか一方へのデジタル入力信号に対して乗算するものである。
【発明の効果】
【００２０】
本発明によれば、アナログ出力信号のＳ／Ｎ比を良好にしつつ、所望の出力設定値と実際の出力信号レベルとの誤差を小さくすることができる。
【発明を実施するための最良の形態】
【００２１】
以下、図に基づいて本発明の実施の形態を説明する。
【００２２】
実施の形態１．
図１および図２は、本発明の実施の形態１に係る振幅可変装置の構成を示すブロック図である。図１および図２において、ＤＡ変換器（ＤＡＣ）１は、係数器３により係数を乗算した後のデジタル入力信号をアナログ信号へ変換する第１のＤＡ変換器である。また、ＤＡ変換器（ＤＡＣ）２は、係数器４により係数を乗算した後のデジタル入力信号をアナログ信号へ変換する第２のＤＡ変換器である。なお、ＤＡ変換器１，２の分解能は、デジタル入力信号の分解能と同一としてもよいし、デジタル入力信号の分解能より高くしてもよい。
【００２３】
また、係数器３，４は、第１の係数としての正極側係数Ａｐおよび第２の係数としての負極側係数Ａｎをデジタル信号にそれぞれ乗算する回路である。正極側係数Ａｐおよび負極側係数Ａｎは、それぞれ、−１以上かつ１以下のいずれかの値とされる。係数器３，４は、それぞれ、例えば乗算器、および係数のデータを記憶するメモリなどの記憶部を有する。この係数器３，４は、出力レベル設定部１１を構成する。制御回路２１は、アナログ出力信号の出力設定値に応じて係数器３，４のそれぞれにおける係数の値を設定する回路である。
【００２４】
また、合成器５は、ＤＡ変換器１によるアナログ信号からＤＡ変換器２によるアナログ信号を減算し、その演算結果をアナログ出力信号として出力する出力手段として機能する回路である。
【００２５】
そして、出力誤差補正部１２は、出力レベル設定部１１の前段に設けられ、一定条件下でのアナログ出力信号の値に基づいて得られる補正係数を、係数器３および係数器４のいずれか一方へのデジタル入力信号に対して乗算する補正乗算手段として機能する回路である。係数器３へのデジタル入力信号に対して補正係数ｃｈＡＴＴが乗算される場合には、０より大きく１未満の値を有する補正係数ｃｈＡＴＴを乗算する係数器６が図１に示すように設けられる。一方、係数器４へのデジタル入力信号に対して補正係数ｃｈＡＴＴが乗算される場合には、０より大きく１未満の値を有する補正係数ｃｈＡＴＴを乗算する係数器７が図２に示すように設けられる。
【００２６】
ここで、補正係数ｃｈＡＴＴの値、並びに係数器６および係数器７のいずれを設けるかについて説明する。
【００２７】
出力誤差補正部１２を設けない状態（係数器６，７がない場合、すなわち補正係数ｃｈＡＴＴの値が１である場合）で、デジタル入力信号として、所定の周波数の正弦波などの定常波を入力する。
【００２８】
そして、第１の設定条件として、ＤＡ変換器１の出力電圧を正の最大値としかつＤＡ変換器２の出力電圧を負の最大値として、アナログ出力信号を最大値とし、その際のアナログ出力信号の電圧値Ｖｍａｘを測定する。なお、Ｖｍａｘは実効値、波高値、平均値などの定常的な値であり、その測定には電圧計、ノイズメータなどを使用すればよい。
【００２９】
次に、第２の設定条件として、ＤＡ変換器１の出力電圧を正の最大値としかつＤＡ変換器２の出力電圧を正の最大値として、アナログ出力信号を最小値とし、その際のアナログ出力信号の値Ｖｍｉｎを測定する。
【００３０】
補正係数ｃｈＡＴＴの値は、これらの電圧値Ｖｍａｘ，Ｖｍｉｎから計算される。
【００３１】
ＤＡ変換器１，２の最大出力電圧をＶ、係数器４の出力電圧に対する係数器３の出力電圧の誤差をαとすると、式（１），（２）が成り立つ。
【００３２】
【数１】
2007311887.tif 000003
【００３３】
【数２】
2007311887.tif 000004
【００３４】
誤差電圧αを相殺するための補正係数ｃｈＡＴＴは、式（３）に従って、計算される。
【００３５】
ｃｈＡＴＴ＝１−（α／Ｖ）  ・・・（３）
【００３６】
そして、アナログ出力信号の出力設定値（つまり、当該振幅可変装置での減衰量）を、補正係数ｃｈＡＴＴを超えず、かつ補正係数ｃｈＡＴＴに最も近い値に設定した際に、測定したアナログ出力信号の値が出力設定値より大きい場合（つまり減衰量が小さい場合）には、正極側の係数器３の前段に、補正係数ｃｈＡＴＴを有する係数器６が設けられ、測定したアナログ出力信号の値が出力設定値より小さい場合（つまり減衰量が大きい場合）には、負極側の係数器４の前段に、補正係数ｃｈＡＴＴを有する係数器７が設けられる。
【００３７】
次に、上記装置の動作について説明する。
【００３８】
図１に示すように係数器３の前段に補正用の係数器６が設けられている場合、デジタル入力信号に対して係数器６により補正係数ｃｈＡＴＴが、係数器３により正極側係数Ａｐが乗算され、演算後のデジタル入力信号がＤＡ変換器１に入力される。また、デジタル入力信号に対して係数器４により負極側係数Ａｎが乗算され、演算後のデジタル入力信号がＤＡ変換器２に入力される。そして、ＤＡ変換器１，２からそれぞれ合成器５へアナログ信号が供給される。合成器５は、ＤＡ変換器１からのアナログ信号からＤＡ変換器２からのアナログ信号を減算した信号を出力信号として出力する。
【００３９】
一方、図２に示すように係数器４の前段に補正用の係数器７が設けられている場合、デジタル入力信号に対して係数器７により補正係数ｃｈＡＴＴが、係数器４により負極側係数Ａｎが乗算され、演算後のデジタル入力信号がＤＡ変換器２に入力される。また、デジタル入力信号に対して係数器３により正極側係数Ａｐが乗算され、演算後のデジタル入力信号がＤＡ変換器１に入力される。そして、ＤＡ変換器１，２からそれぞれ合成器５へアナログ信号が供給される。合成器５は、ＤＡ変換器１からのアナログ信号からＤＡ変換器２からのアナログ信号を減算した信号を出力信号として出力する。
【００４０】
上述のいずれの場合においても、ＤＡ変換器１とＤＡ変換器２の特性のバラツキに起因する出力電圧の誤差は補正係数ｃｈＡＴＴにより相殺されるため、出力設定値からのアナログ出力信号の値の誤差は小さくなる。
【００４１】
以上のように、上記実施の形態１によれば、補正乗算手段としての出力誤差補正部１２は、所定の設定条件下でのアナログ出力信号の値に基づいて得られる補正係数を、係数器３および係数器４のいずれか一方へのデジタル入力信号に対して乗算する。これにより、出力レベル設定部１１においてＤＡ変換器１，２のバラツキの影響を軽減するために２つのデジタル信号の振幅を必要以上に小さくせずに済み、ＤＡ変換後のアナログ出力信号のＳ／Ｎ比を良好にすることができるとともに、ＤＡ変換器１，２のバラツキの影響が軽減されるため、所望の出力設定値と実際の出力信号レベルとの誤差を小さくすることができる。
【００４２】
実施の形態２．
本発明の実施の形態２は、補正係数ｃｈＡＴＴの値を変更したものである。実施の形態２では、正極側の出力電圧および負極側の出力電圧をそれぞれ単独の状態で測定し、それらの出力電圧値から得られる補正係数ｃｈＡＴＴの値が使用される。
【００４３】
まず、実施の形態１と同様の定常波をデジタル入力信号として入力し、第１の設定条件として、係数器４の負極側係数Ａｎの値をゼロに設定して、アナログ出力信号の電圧値Ｖｐｏｓｉを測定する。次に、第２の設定条件として、係数器３の正極側係数Ａｐの値をゼロに設定して、アナログ出力信号の電圧値Ｖｎｅｇａを測定する。
【００４４】
補正係数ｃｈＡＴＴの値は、これらの電圧値Ｖｐｏｓｉ，Ｖｎｅｇａから計算される。
【００４５】
これらの電圧値Ｖｐｏｓｉ，Ｖｎｅｇａの差分をＶｄｉｆｆ（Ｖｄｉｆｆ＝Ｖｐｏｓｉ−Ｖｎｅｇａ）とすると、Ｖｄｉｆｆが正である場合には、正極側と負極側との間の誤差電圧αについて式（４）が成り立ち、Ｖｄｉｆｆが負である場合には、式（５）が成り立つ。
【００４６】
α／Ｖ＝Ｖｄｉｆｆ／Ｖｐｏｓｉ  ・・・（４）
【００４７】
α／Ｖ＝−Ｖｄｉｆｆ／Ｖｎｅｇａ  ・・・（５）
【００４８】
式（４）または式（５）並びに式（３）に基づいて、補正係数ｃｈＡＴＴの値が計算される。
【００４９】
そして、Ｖｄｉｆｆが正である場合には補正係数ｃｈＡＴＴの係数器６が設けられ、Ｖｄｉｆｆが負である場合には補正係数ｃｈＡＴＴの係数器７が設けられる。
【００５０】
以上のように、上記実施の形態２によれば、出力誤差補正部１２は、所定の設定条件下でのアナログ出力信号の値に基づいて得られる補正係数を、係数器３および係数器４のいずれか一方へのデジタル入力信号に対して乗算する。これにより、出力レベル設定部１１においてデジタル信号の振幅を必要以上に小さくせずに済むためＤＡ変換後のアナログ出力信号のＳ／Ｎ比を良好にすることができるとともに、ＤＡ変換器１，２のバラツキの影響が軽減されるため、所望の出力設定値と実際の出力信号レベルとの誤差を小さくすることができる。
【００５１】
実施の形態３．
本発明の実施の形態３では、デジタル入力信号としてパルス信号を入力し、その際の上述のＶｍｉｎの極性（正か負か）に基づいて、補正用の係数器６，７のいずれを設けるかの判定を行う。その他の構成については実施の形態１の場合と同様である。
【００５２】
パルス信号を入力した際のＶｍｉｎが正である場合には、正極側に、補正係数ｃｈＡＴＴを有する係数器６が設けられ、その際のＶｍｉｎが負である場合には、負極側に、補正係数ｃｈＡＴＴを有する係数器７が設けられる。補正係数ｃｈＡＴＴの値は、実施の形態１と同様にして計算すればよい。
【００５３】
パルス信号を入力した際のアナログ出力信号の電圧が正か負かは、オシロスコープ、波高値検出などにより計測すればよい。
【００５４】
実施の形態４．
本発明の実施の形態４に係る振幅可変装置は、ＤＡ変換器１とＤＡ変換器２との間の出力のバラツキを測定しそれに基づく補正係数ｃｈＡＴＴを設定する処理部を内蔵するものである。
【００５５】
図３は、本発明の実施の形態４に係る振幅可変装置の構成を示すブロック図である。図３において、ＡＤ変換器（ＡＤＣ）３１は、合成器５の出力、つまりアナログ出力信号をデジタル信号へ変換するＡＤ変換器である。
【００５６】
また、試験信号発生部４１は、補正係数ｃｈＡＴＴを決定する際に使用する試験信号である定常波を発生する。また、入力切替部４２は、試験信号発生部４１の出力信号およびデジタル入力信号のいずれか一方を選択し出力する。また、補正係数算出部４３は、上述の実施の形態１または２における方法に従って、アナログ出力信号の値に基づいて補正係数ｃｈＡＴＴの値を計算する処理部である。また、制御部４４は、デジタル信号領域の各部を制御する処理部である。実施の形態４に係る振幅可変装置では、ＤＡ変換器１，２およびＡＤ変換器３１を除くデジタル信号領域の部分は、デジタルシグナルプロセッサ（ＤＳＰ）５１により実現される。
【００５７】
なお、図３におけるその他の構成要素については実施の形態１（図１，図２）のものと同様であるので、その説明を省略する。
【００５８】
次に、上記装置の動作について説明する。
【００５９】
補正係数設定モードでは、制御部４４は、入力切替部４２を制御して、試験信号発生部４１の試験信号を出力誤差補正部１２に供給させ、また、補正係数算出部４３を制御して、出力誤差補正部１２の係数器６，７の係数値をそれぞれ１に設定させ、また、出力設定部１１の係数器３，４に所定の係数値を設定する。
【００６０】
実施の形態１と同様にして補正係数ｃｈＡＴＴを計算する場合には、第１の設定条件として、制御部４４は、係数器３の係数を正の所定値とし、係数器４の係数値を負の所定値とし、補正係数算出部４３が、その際のアナログ出力信号の電圧値Ｖｍａｘを測定する。次に、第２の設定条件として、制御部４４は、係数器３の係数を正の所定値とし、係数器４の係数値を正の所定値とし、補正係数算出部４３が、その際のアナログ出力信号の電圧値Ｖｍｉｎを測定する。そして、補正係数算出部４３が、上述の式（２），（３）に基づいて補正係数ｃｈＡＴＴの値を計算する。
【００６１】
そして、制御部４４は、アナログ出力信号の出力設定値が、補正係数ｃｈＡＴＴを超えず、かつ補正係数ｃｈＡＴＴに最も近い値になるように、係数器３，４の係数値を設定し、補正係数算出部４３が、その際のアナログ出力信号の値を測定する。そのアナログ出力信号の値が出力設定値より大きい場合（つまり減衰量が小さい場合）には、補正係数算出部４３は、係数器６の係数値を補正係数ｃｈＡＴＴの値とし、係数器７の係数値を１とする。一方、そのアナログ出力信号の値が出力設定値より小さい場合（つまり減衰量が大きい場合）には、補正係数算出部４３は、係数器７の係数値を補正係数ｃｈＡＴＴの値とし、係数器６の係数値を１とする。
【００６２】
他方、実施の形態２と同様にして補正係数ｃｈＡＴＴを計算する場合には、第１の設定条件として、制御部４４は、係数器３の係数を正の所定値とし、係数器４の係数値をゼロとし、補正係数算出部４３が、その際のアナログ出力信号の電圧値Ｖｐｏｓｉを測定する。次に、第２の設定条件として、制御部４４は、係数器３の係数をゼロとし、係数器４の係数値を正の所定値とし、補正係数算出部４３が、その際のアナログ出力信号の電圧値Ｖｎｅｇａを測定する。そして、補正係数算出部４３が、上述の式（３）〜（５）に基づいて補正係数ｃｈＡＴＴの値を計算する。また、補正係数算出部４３は、Ｖｄｉｆｆを計算し、その極性に基づいて、係数器６，７のいずれか一方の係数値を補正係数ｃｈＡＴＴの値とし、他方の係数値を１とする。
【００６３】
補正係数設定モード完了後の演算実行モードでは、制御部４４は、入力切替部４２を制御して、デジタル入力信号を出力誤差補正部１２に供給させる。したがって、デジタル入力信号は、出力誤差補正部１２による補正処理の後に出力レベル設定部１１に供給され、ＤＡ変換器１，２によりアナログ信号に変換され、合成器５からアナログ出力信号として出力される。その際、制御部４４は、実施の形態１，２の制御回路２１と同様に動作し、出力設定値に応じた係数値を係数器３，４に設定する。
【００６４】
以上のように、実施の形態４によれば、補正係数算出手段としての補正係数算出部４３が、アナログ出力信号の値に基づいて補正係数を計算し、出力誤差補正部１２に設定する。これにより、振幅可変装置が自律的にＤＡ変換器１，２のバラツキ補正を行うため、外部の測定機器などが不要となるとともに、補正係数の設定工程を省略することができる。
【００６５】
実施の形態５．
本発明の実施の形態５に係る振幅可変装置は、特願２００６−５０６７６号で先に提案した方法で出力設定を行うようにしたものである。
【００６６】
したがって、実施の形態５では、制御回路２１は、アナログ出力信号の出力設定値に関する所定数の領域のそれぞれについて設定された対応関係に基づいて、その出力設定値に対応する正極側係数Ａｐおよび負極側係数Ａｎの値を決定する。
【００６７】
制御回路２１は、係数器３，４に、係数値のデジタルデータを記憶させる。制御回路２１は、アナログ出力信号を減衰させる場合、例えば図示せぬボリューム操作部に対する操作の操作量に対応するアナログ出力信号の出力設定値（つまり減衰率）を特定し、その出力設定値に応じた係数値を係数器３，４にそれぞれ設定する。
【００６８】
その際、アナログ出力信号の出力設定値は、所定の数（例えば６）の領域に分類され、該当する領域に応じて異なる対応関係に基づいて、その出力設定値に対応する正極側係数Ａｐおよび負極側係数Ａｎの値が特定される。
【００６９】
なお、実施の形態５に係る振幅可変装置のその他の構成および動作については、実施の形態１〜４のいずれかと同様であるのでその説明を省略する。
【００７０】
以上のように、実施の形態５によれば、出力誤差補正部１２によりＤＡ変換器１，２のバラツキの影響が軽減されることでＤＡ変換器１，２に入力されるデジタル信号の振幅を小さくせずに済むため、アナログ出力信号のＳ／Ｎ比を良好にすることが可能である。例えば、ＤＡ変換器１，２の出力電圧のバラツキが０．５ｄＢである場合には、特願２００６−５０６７６号の方法では出力設定値が２０ｄＢ低くなるごとに一方のＤＡ変換器の出力電圧を１０ｄＢ低く設定しているが、実施の形態５に係る振幅可変装置では出力設定値が６０ｄＢ低くなるごとに一方のＤＡ変換器の出力電圧を１０ｄＢ低くすれば済む。このため、出力設定値の可変幅が８０ｄＢある場合、一方のＤＡ変換器の出力は最大で３０ｄＢ低く設定されるが、実施の形態５に係る振幅可変装置では１０ｄＢ低く設定すれば済む。
【００７１】
実施の形態６．
本発明の実施の形態６に係る振幅可変装置は、特願２００６−５０６８４号で先に提案した方法で出力設定を行うようにしたものである。
【００７２】
実施の形態６では、制御回路２１は、アナログ出力信号の出力設定値に関する所定数の領域のそれぞれについて設定された比率に基づいて、その出力設定値に対応する正極側係数Ａｐおよび負極側係数Ａｎの値を決定する。
【００７３】
アナログ出力信号の出力設定値は、所定の数（例えば４）の領域に分類され、該当する領域に応じて異なる対応関係に基づいて、その出力設定値に対応する正極側係数Ａｐおよび負極側係数Ａｎの値が特定される。
【００７４】
なお、実施の形態６に係る振幅可変装置のその他の構成および動作については、実施の形態１〜４のいずれかと同様であるのでその説明を省略する。
【００７５】
以上のように、実施の形態６によれば、出力誤差補正部１２によりＤＡ変換器１，２のバラツキの影響が軽減されることでＤＡ変換器１，２に入力されるデジタル信号の振幅を小さくせずに済むため、アナログ出力信号のＳ／Ｎ比を良好にすることが可能である。
【００７６】
なお、上述の各実施の形態は、本発明の好適な例であるが、本発明は、これらに限定されるものではなく、本発明の要旨を逸脱しない範囲において、種々の変形、変更が可能である。
【００７７】
例えば、上記各実施の形態では、出力誤差補正部１２は、出力レベル設定部１１の前段に設けられているが、出力レベル設定部１１とＤＡ変換器１，２の間に設けるようにしてもよい。
【００７８】
また、実施の形態１において、出力誤差補正部１２に係数器６，７を両方設けて、係数器６，７のいずれか一方の係数値を補正係数の値とし他方の係数値を１とするようにしてもよい。
【００７９】
また、上記各実施の形態では、出力レベル設定部１１と出力誤差補正部１２とを別々に設けているが、出力レベル設定部１１において、レベル設定用の係数とともに補正係数ｃｈＡＴＴを乗算するようにしてもよい。その場合には、出力誤差補正部１２の係数器６，７は不要となる。
【００８０】
また、上記各実施の形態では、合成器５の前段までは正極側および負極側が同相とされ合成器５により両者の差分が演算されるが、その代わりに、負極側の係数器４の出力を逆相とし合成器５により両者の和を演算するようにしてもよい。
【産業上の利用可能性】
【００８１】
本発明は、例えば、デジタルオーディオ装置のボリュームに適用可能である。
【図面の簡単な説明】
【００８２】
【図１】本発明の実施の形態１に係る振幅可変装置の構成を示すブロック図である。
【図２】本発明の実施の形態１に係る振幅可変装置の構成を示すブロック図である。
【図３】本発明の実施の形態４に係る振幅可変装置の構成を示すブロック図である。
【図４】振幅可変装置の一例を示すブロック図である。
【図５】２つのＤＡ変換器の入出力特性にバラツキのある場合およびない場合についての出力設定値と実際の出力信号レベルとの対応関係を示す図である。
【符号の説明】
【００８３】
１  ＤＡ変換器（第１のＤＡ変換器）
２  ＤＡ変換器（第２のＤＡ変換器）
３  係数器（第１の乗算手段）
４  係数器（第２の乗算手段）
５  合成器（出力手段）
１２  出力誤差補正部（補正乗算手段）  
４３  補正係数算出部（補正係数算出手段）
【図１】
2007311887.tif 000005
【図２】
2007311887.tif 000006
【図３】
2007311887.tif 000007
【図４】
2007311887.tif 000008
【図５】
2007311887.tif 000009